(57)【要約】【課題】サイズを調整した後、調整用ベルト３０の折り返された部分の端部を、キャップ本体１０の一方の開離端１１部分に設けられたベルト用ポケット１３に差込み収納する際に、調整用ベルト３０のベルト用ポケット１３への差込み収納が容易に行えるキャップを提供する。【解決手段】キャップ本体１０の一方の開離端１１部分に調整用ベルト３０が差込み収納可能なベルト用ポケット１３を設けたキャップにおいて、ベルト用ポケット１３の差込み入口１３ａを、キャップ本体１０の一方の開離端１１から前部方向に所定の距離だけ離れた個所に開口させた。【選択図】      図２
2006200097.tif 000002
【特許請求の範囲】
【請求項１】
頭部の周囲を覆うキャップ本体の後部を開離し、その一方の開離端に調整用ベルトを取り付けるとともに、キャップ本体の他方の開離端に上記調整用ベルトを挿通する環状具を取り付け、上記調整用ベルトには、その一端部側に係着部材を有するとともに、他端部側に上記係着部材が着脱可能に係着する被係着部材を有し、かつ、上記キャップ本体の一方の開離端部分に上記調整用ベルトが差込み収納可能なベルト用ポケットを設けたキャップにおいて、
上記ベルト用ポケットの差込み入口を、上記キャップ本体の一方の開離端から前部方向に所定の距離だけ離れた個所に開口させたことを特徴とするキャップ。
【請求項２】
上記キャップ本体は、表生地と裏生地とを縫い合わせて形成され、該キャップ本体の一方の開離端部の近傍部分における表生地が、外表生地と内表生地との二重構造とし、その外表生地と内表生地との間に上記ベルト用ポケットが形成されるとともに、該ベルト用ポケットの差込み入口を、上記外表生地と内表生地とをその端部を所定の長さずらした状態で重ねて縫い合わせることによって、上記キャップ本体の一方の開離端から前部方向に所定の距離だけ離れた個所に開口させたことを特徴とする請求項１に記載のキャップ。
【請求項３】
上記環状具は、伸縮性を有する連結帯を介してキャップ本体の他方の開離端部に取り付けられていることを特徴とする請求項１又は請求項２に記載のキャップ。
【請求項４】
上記係着部材及び被係着部材は、互いに着脱可能な雌又は雄面ファスナーからなることを特徴とする請求項１乃至請求項３のいずれかに記載のキャップ。
【発明の詳細な説明】
【技術分野】
【０００１】
本発明は、着用者の頭部のサイズに合せてサイズを自由に調整することができるフリーサイズのキャップに関する。
【背景技術】
【０００２】
従来より着用者の頭部のサイズに合せて帽子のサイズを調整することができるフリーサイズのキャップが種々提案されている。
【０００３】
例えば、図５乃至図７に示すキャップ（サンバイザー）は、頭部の周囲を覆う環状のキャップ本体１と、このキャップ本体１の前部から側部にかけて前方に突設された庇２とから構成されている。キャップ本体１は後部において開離されており、一方の開離端部１ａに調整用ベルト３がその基端部を縫着して取り付けられるとともに、他方の開離端部１ｂに調整用ベルト３を挿通する環状具４が連結帯５により取り付けられている。調整用ベルト３の外側面には、先端部寄りの一方の約半部に係着部材（例えば、微小ループ群を有する雌面ファスナー）６が、基端部寄りの他方の約半部に係着部材６が着脱可能に係着する被係着部材（例えば、硬質の微小鉤突起群を有する雄面ファスナー）７が取り付けられており、調整用ベルト３を環状具４に挿通した後に反転状に折り返すと、その折り返し部分が係着部材６、被係着部材７を介して互いに係着される。かかるキャップにおいては、調整用ベルト３を環状具４に挿通した後に反転状に折り返してその折り返し部分を係着部材６、被係着部材７を介して互いに係着させる際に、調整用ベルト３の長さを調整しながら係着部材６を被係着部材７の任意の位置に係着させることにより、キャップ本体１の周長を変化させてサイズを調整する。
【発明の開示】
【発明が解決しようとする課題】
【０００４】
ところで、上記キャップでは、調整用ベルト３を環状具４に挿通した後に折り返して長さ調整しながら係着部材６、被係着部材７を互いに係着させてサイズを調整した後、調整用ベルト３の折り返された部分の端部が被係着部材７を越えてキャップ本体１の開離端部１ａ上に延びる場合、その調整用ベルト３の折り返された部分の端部がキャップ本体１の開離端部１ａ上で自由にブラブラするので、外観上の体裁が悪いという問題があった。また、釣りをする場合、調整用ベルト３の折り返された部分の端部が自由にブラブラしていると、釣糸が引っ掛かったりするという問題もあった。
【０００５】
そこで、キャップ本体１の開離端部１ａにおける表生地と裏生地の端部を縫い合わさないで該開離端部１ａに調整用ベルト３が差込し可能な差込み入口を形成し、この差込み入口から調整用ベルト３の端部をキャップ本体１の開離端部１ａ近傍の表生地と裏生地との間に差込み収納させるようにしているが、キャップ本体１の開離端部１ａの裏生地の内面側に調整用ベルト３の基端部側が縫着されているため、キャップ本体１の開離端部１ａの差込み入口へ調整用ベルト３の端部を差し込む際に、調整用ベルト３の先端部側に有する係着部材６が該調整用ベルト３の基端部側に有する被係着部材７に引っ掛かってしまい、調整用ベルト３の端部の差込み入口への差し込みが非常に困難であった。
【０００６】
本発明は、サイズを調整した後、調整用ベルトの折り返された部分の端部をキャップ本体の開離端部分に設けられたベルト用ポケットに差込み収納する際に、調整用ベルトのベルト用ポケットへの差込み収納が容易に行えるキャップを提供することを目的とする。
【課題を解決するための手段】
【０００７】
上記目的を達成するため、本発明は、頭部の周囲を覆うキャップ本体の後部を開離し、その一方の開離端に調整用ベルトを取り付けるとともに、キャップ本体の他方の開離端に上記調整用ベルトを挿通する環状具を取り付け、上記調整用ベルトには、その一端部側に係着部材を有するとともに、他端部側に上記係着部材が着脱可能に係着する被係着部材を有し、かつ、上記キャップ本体の一方の開離端部分に上記調整用ベルトが差込み収納可能なベルト用ポケットを設けたキャップにおいて、上記ベルト用ポケットの差込み入口を、上記キャップ本体の一方の開離端から前部方向に所定の距離だけ離れた個所に開口させたものである。
【０００８】
上記構成の本発明によれば、サイズを調整した後、調整用ベルトの折り返された部分の端部が被係着部材を越えて延びていた場合、その端部をキャップ本体の一方の開離端部分に設けられたベルト用ポケットに差込み収納する。このとき、上記ベルト用ポケットの差込み入口が、上記キャップ本体の一方の開離端から前部方向に所定の距離だけ離れた個所に開口されているので、調整用ベルトの端部をベルト用ポケットの差込み入口に差し込む際に、調整用ベルトの端部を該調整用ベルトの基端部側に有する被係着部材に引っ掛けずに差し込むことができる。
【０００９】
また、本発明は、上記キャップ本体は、表生地と裏生地とを縫い合わせて形成され、該キャップ本体の一方の開離端部の近傍部分における表生地が、外表生地と内表生地との二重構造とし、その外表生地と内表生地との間に上記ベルト用ポケットを形成するとともに、上記ベルト用ポケットの差込み入口を、上記外表生地と内表生地とをその端部を所定の長さずらした状態で重ねて縫い合わせることによって、上記キャップ本体の一方の開離端から前部方向に所定の距離だけ離れた個所に開口させたものである。
【００１０】
上記構成の本発明によれば、キャップのサイズを調整した後、調整用ベルトの折り返された部分の端部が被係着部材を越えて延びたとき、その調整用ベルトの端部をベルト用ポケットへ差し込む場合、調整用ベルトの端部を内表生地上を滑らせるようにしてベルト用ポケットの差込み入口に差し込む。これにより、調整用ベルトの端部をベルト用ポケットに容易に差込み収納することができる。
【００１１】
また、本発明は、上記環状具を、伸縮性を有する連結帯を介してキャップ本体の他方の開離端部に取り付けたものである。
【００１２】
上記構成の本発明によれば、環状具が伸縮性を有する連結帯を介してキャップ本体の他方の開離端部に取り付けられているため、連結帯を伸縮すると、キャップ本体の周長が変化する。これにより、サイズが多少異なっていても、連結帯の伸縮によりキャップ本体の周長が変化するため、サイズの違いを吸収して頭部にフィットさせることができる。
【００１３】
更に、本発明は、上記係着部材及び被係着部材が、互いに着脱可能な雌又は雄面ファスナーからなるものである。
【００１４】
上記構成の本発明によれば、係着部材及び被係着部材が互いの係着位置を自由に調整することができる面ファスナーからなるので、サイズを調整する際に、係着部材を被係着部材の任意の地位に係着することができ、所望のサイズにキャップを調整することができる。
【発明の効果】
【００１５】
以上説明したように、本発明によれば、キャップのサイズを調整した後、調整用ベルトの折り返された部分の端部が被係着部材を越えて延びる場合において、調整用ベルトの端部をベルト用ポケットに差込み収納する際、調整用ベルトの端部をキャップ本体の一方の開離端部上を滑らせてベルト用ポケットの差込み入口に差し込むことができ、調整用ベルトのベルト用ポケットへの差込み収納が容易に行える。
【００１６】
また、本発明によれば、連結帯の伸縮によりキャップ本体の周長が変化するので、多少サイズが異なっていても、連結帯の伸縮によりサイズの違いを吸収して頭部に対するフィットを向上させることができる。
【発明を実施するための最良の形態】
【００１７】
以下、本発明の実施形態を図面に基づいて説明する。
【００１８】
図１乃至図３は、本発明をサンバイザー（以下、「キャップ」と称す）に適用した実施形態を示す。
【００１９】
図１乃至図３に示すキャップは、織物地等の適宜素材の布地で形成されており、頭部の周囲を包む環状のキャップ本体１０と、キャップ本体１０の前部から側部にかけて前方に突設された庇２０とで構成されている。
【００２０】
キャップ本体１０は、表生地１０ａと裏生地１０ｂとを袋状に縫い合わせて形成されている。キャップ本体１０は、後部において開離されており、一方の開離端部１１に調整用ベルト３０がその基端部を縫着して取り付けられるとともに、他方の開離端部１２に調整用ベルト３０を挿通する環状具４０が連結帯５０を介して取り付けられている。
【００２１】
調整用ベルト３０は、可撓性を有する伸縮しない織物地等の適宜素材の布地からなり、キャップ本体１０の開離端部１１の表生地１０ａと裏生地１０ｂとを縫い合わせる際に、基端部を表生地１０ａと裏生地１０ｂとの間に挟み込むことにより、キャップ本体１０の開離端部１１に固着されている。
【００２２】
調整用ベルト３０は、その外側面の先端部寄りの一方の約半部に係着部材３１を設けている。この係着部材３１は、微小ループ群を有する雌面ファスナーからなり、縫着又は熱融着等により調整用ベルト３０に一体に固着されている。
【００２３】
また、調整用ベルト３０は、基端部寄りの他方の約半部に係着部材３１が着脱可能に係着する被係着部材３２を設けている。この被係着部材３２は、硬質の微小鉤突起群を有する雄面ファスナーからなり、縫着又は熱融着等により調整用ベルト３０に一体に固着されている。
【００２４】
環状具４０は、角環状に形成されており、調整用ベルト３０及び連結帯５０を挿通できる挿通空間４１を有する。環状具４０は、挿通空間４１に連結帯５０を挿通して該連結帯５０をループ状をなしてキャップ本体１０の開離端部１２に縫着することにより、キャップ本体１０の開離端部１２に連結帯５０を介して固着されている。
【００２５】
連結帯５０は、伸縮性を有する帯状の弾性布地、例えば、スエットバンド等からなり、環状具４０の挿通空間４１に挿通して反転状に折り返し、その折返し側とは反対側の両端部を、キャップ本体１０の開離端部１２の表生地１０ａと裏生地１０ｂとを縫い合わせる際に、表生地１０ａと裏生地１０ｂとの間に挟み込むことにより、キャップ本体１０の開離端部１２にループ状をなして固着されている。
【００２６】
キャップ本体１０は、開離端部１１の近傍部分における表生地１０ａを、外表生地１０ａ’と内表生地１０ａ’’との二重構造とし、その外表生地１０ａ’と内表生地１０ａ’’との間に調整用ベルト３０を差込み収納可能なベルト用ポケット１３を形成している。
【００２７】
ベルト用ポケット１３を形成させる外表生地１０ａ’と内表生地１０ａ’’とはその端部が所定の長さＨずらされた状態で重ねて縫い合わされており、このずれによってベルト用ポケット１３の差込み入口１３ａがキャップ本体１０の開離端部１１から前部方向に所定の距離Ｈだけ離れた個所に開口されている。
【００２８】
本発明のキャップは上記の如き構成であり、このキャップのサイズを調整する場合は、調整用ベルト３０の固着されていない先端部を環状具４０に挿通させ、この調整用ベルト３０の長さを調整しながらその先端部を反転状に折り返してその折り返し部分を係着部材３１、被係着部材３２を介して互いに係着させることにより、キャップ本体１０の周長を変化させてキャップのサイズを調整する。このとき、調整用ベルト３０の折り返された部分の端部が被係着部材３２を越えてキャップ本体１０の開離端部１１上に延びる場合、キャップ本体１０の開離端部１１の近傍部分にベルト用ポケット１３が設けられているため、キャップ本体１０の開離端部１１上に延びる調整用ベルト３０の端部をベルト用ポケット１３に差込み収納することができ、その端部がキャップ本体１０の開離端部１１上で自由にブラブラすることがなく、外観を損なうことがない。
【００２９】
本発明のキャップは、ベルト用ポケット１３を形成させる外表生地１０ａ’と内表生地１０ａ’’とをその端部を所定の長さＨずらした状態で重ねて縫い合わせることによって、ベルト用ポケット１３の差込み入口１３ａをキャップ本体１０の開離端部１１から前部方向に所定の距離Ｈだけ離れた個所に開口させているので、調整用ベルト３０の端部をベルト用ポケット１３へ差込み収納する場合において、調整用ベルト３０の端部をベルト本体１０の開離端部１１でその内表生地１０ａ’’上を滑らせるようにしてベルト用ポケット１３の差込み入口１３ａに差し込めば、調整用ベルト３０の端部をベルト用ポケット１３に容易に差込み収納することができる。
【００３０】
また、環状具４０が伸縮性を有する連結帯５０を介してキャップ本体１０の開離端部１２に取り付けられているので、サイズが多少異なっていても、キャップ本体１０の周長が連結帯５０の伸縮により変化するため、サイズの違いを吸収してキャップ本体１０を頭部にフィットさせることができ、サイズがぴったりしていなくても頭部によくフィットする効果がある。
【００３１】
尚、実施形態においは、サンバイザーについて説明したが、本発明は、サンバイザー以外のキャップ、例えば、野球帽等についても適用することができる。
【００３２】
また、実施形態においては、係着部材３１として雌面ファスナーを、被係着部材３２として雄面ファスナーをそれぞれ示したが、係着部材３１、被係着部材３２は面ファスナーに限定されるものではなく、面ファスナー以外の互いに着脱可能な他の係着部材、被係着部材でも構わない。
【図面の簡単な説明】
【００３３】
【図１】本発明の実施形態に係るキャップ（サンバイザー）の斜視図である。
【図２】本発明のキャップの後部を示す図面である。
【図３】図２のＡ−Ａ線における断面である。
【図４】本発明のキャップに用いられるアジャスターを示す図面である。
【図５】従来のキャップ（サンバイザー）の斜視図である。
【図６】従来のキャップの後部を示す図面である。
【図７】従来のキャップに用いられるアジャスターを示す図面である。
【符号の説明】
【００３４】
１０…キャップ本体、１０ａ…表生地、１０ａ’…外表生地、１０ａ’’…内表生地、１０ｂ…裏生地、１１…キャップ本体の一方の開離端部、１２…キャップ本体の他方の開離端部、１３…ベルト用ポケット、１３ａ…差込み口、２０…庇、３０…調整用ベルト、３１…係着部材（雌面ファスナー）、３２…被係着部材（雄面ファスナー）、４０…環状具、５０…連結帯
【図１】
2006200097.tif 000003
【図２】
2006200097.tif 000004
【図３】
2006200097.tif 000005
【図４】
2006200097.tif 000006
【図５】
2006200097.tif 000007
【図６】
2006200097.tif 000008
【図７】
2006200097.tif 000009